(57)【要約】  押しボタン構造は、ボタン７を露出させる開口部２を設けたパネル１と、一端側はパネル１の回転中心部５に支持され、他端側はパネル１と直交する方向に伸びた脚部６を有し、パネル１の開口部２より露出した状態から押されると、他端側が回転中心部５を中心に回転するボタン７と、スイッチ４を実装し、脚部６の回転軌跡の接線方向Ｃと当該スイッチ４のストローク方向Ｄが略同じになるようにパネル１に対し傾けて取り付けた基板３とを備える。
2011161732.tif 000002
【特許請求の範囲】
【請求項１】
ボタンを露出させる開口部を設けたパネルと、
一端側は前記パネルに支持され、他端側は前記パネルと直交する方向に伸びた脚部を有し、前記パネルの開口部より露出した状態から押されると、前記他端側が前記支持部分を中心に回転するボタンと、
スイッチを実装し、前記脚部の回転軌跡の接線方向と当該スイッチのストローク方向が略同じになるように前記パネルに対し傾けて取り付けた基板とを備える押しボタン構造。
【請求項２】
複数のボタンがある場合に、当該各ボタンの脚部の長さをパネルと基板の距離に合わせて、前記パネルと前記基板の距離が近い位置にあるボタンの脚部を短く、前記パネルと前記基板の距離が遠い位置にあるボタンの脚部を長くすると共に、前記支持部分を、当該支持部分から前記脚部先端までの距離が前記各ボタンで同じになる位置に設けることを特徴とする請求項１記載の押しボタン構造。
【請求項３】
ボタンの、脚部を設けた側の側壁と、当該側壁に面するパネル開口部の縁部とは、前記ボタンの支持部分を中心とした円弧面であることを特徴とする請求項１記載の押しボタン構造。
【請求項４】
ボタンの脚部は、当該脚部先端より突出した形状であって、当該脚部先端がスイッチを押したときに当該スイッチをまたいで基板に当接する形状のストッパ部を有することを特徴とする請求項１記載の押しボタン構造。
【請求項５】
ボタンの脚部先端は球状であることを特徴とする請求項１記載の押しボタン構造。
【発明の詳細な説明】
【技術分野】
【０００１】
この発明は、車載機器等のパネルに設ける押しボタン構造に関する。
【背景技術】
【０００２】
従来の押しボタン構造は、ヒンジ部によりボタンをパネル開口部に回転自在に支持させる構造である。ボタンが押されるとヒンジ部側を中心にして他端側が回転し、この他端側に突設した脚部がパネル内部のスイッチを押す。ボタンを取り付けたパネルと、スイッチを実装した基板とは平行に配置されるので、回転する脚部先端がスイッチ上を滑るように動く。そのため、ボタン押下時、復帰時とも脚部とスイッチの接触面に摩擦が生じ、ボタン操作感の不良に繋がっていた。【０００３】
そこで、例えば特許文献１に係る押しボタン構造では、ボタンの脚部先端とスイッチの接触面を傾斜面にすることにより、復帰時の摩擦力を低減させ、押しボタンが元の位置に戻らなくなることを防止していた。
【先行技術文献】
【特許文献】
【０００４】
【特許文献１】特開平８−１１１１３７号公報
【発明の概要】
【０００５】
従来の押しボタン構造は以上のように構成されているので、ボタン押下時に、脚部先端がスイッチ上を滑るように動いてスイッチを押すことにより摩擦が生じたり、回転するボタンがパネル開口部の縁を擦ったりして、ボタン操作感の不良に繋がるという課題があった。
【０００６】
この発明は、上記のような課題を解決するためになされたもので、ボタンの操作感を改善した押しボタン構造を提供することを目的とする。
【０００７】
この発明に係る押しボタン構造は、ボタンを露出させる開口部を設けたパネルと、一端側はパネルに支持され、他端側はパネルと直交する方向に伸びた脚部を有し、パネルの開口部より露出した状態から押されると、他端側が支持部分を中心に回転するボタンと、スイッチを実装し、脚部の回転軌跡の接線方向と当該スイッチのストローク方向が略同じになるようにパネルに対し傾けて取り付けた基板とを備えるものである。
【０００８】
この発明によれば、パネルに対して基板およびボタンを傾けて取り付けることにより、ボタンの脚部先端の回転軌跡の接線方向とスイッチのストローク方向が略同じ方向になるので、脚部先端のスイッチ上でのすべりを抑制できるようになり、操作感を改善した押しボタン構造を提供することができる。
【図面の簡単な説明】
【０００９】
【図１】この発明の実施の形態１に係る押しボタン構造を適用した車載機器の、パネルの構成を示す外観斜視図である。
【図２】パネルを図１に示すＡＡ線に沿って切断した断面図であり、基板取り付け構造の一例を示す。
【図３】パネルを図１に示すＡＡ線に沿って切断した断面図であり、基板取り付け構造の他の例を示す。
【図４】図２に示す押しボタン構造の一つを拡大した断面図である。
【図５】図２に示すパネル両端に位置する押しボタン構造を拡大した断面図である。
【図６】押しボタン構造の一つを拡大した斜視図である。
【発明を実施するための形態】
【００１０】
以下、この発明をより詳細に説明するために、この発明を実施するための形態について、添付の図面に従って説明する。
実施の形態１．
車載機器の前面のパネル１に、本実施の形態１に係る押しボタン構造を適用した構成例を説明する。図１および図２に示すように、押しボタン構造は、ボタン露出用の開口部２−１〜２−６を設けたパネル１と、パネル１に対し傾けて取り付けた基板３と、基板３のパネル１に対向する面に実装したスイッチ４−１〜４−６と、パネル１の開口部２−１〜２−６より露出した状態から基板３側へ押されると一端側の回転中心部５−１〜５−６を中心に回転して他端側の脚部６−１〜６−６でスイッチ４−１〜５−６を押すボタン７−１〜７−６とを備える。
【００１１】
以下において、開口部２−１〜２−６に共通する部分を説明する場合は区別せず単に開口部２と称す。同様に、スイッチ４−１〜４−６はスイッチ４、回転中心部５−１〜５−６は回転中心部５、脚部６−１〜６−６は脚部６、ボタン７−１〜７−６はボタン７と称す。
【００１２】
基板３は、パネル１およびボタン７に対して傾斜した状態に配置する。基板３のパネル１への取り付け構造としては、図２に示すようにパネル１に設けた爪部９−１〜９−３で基板３表裏方向を挟み込むように保持したり、図３に示すようにパネル１と基板３の間にスペーサ１０−１〜１０−３を挟んで、基板３とスペーサ１０−１〜１０−３とをそれぞれネジ固定したりする。この基板３にはスイッチ４を実装するが、基板３が傾斜しているのでスイッチ４も同様に傾斜することになる。
【００１３】
図４（ａ）に、押しボタン構造の拡大図を示す。ボタン７の、開口部２から露出する面を表面とすると、基板３側に面した底面縁部の一端側を、パネル１の裏面に形成した支持部８が回転自在に支持する。支持部８−１〜８−６も共通する部分を説明する場合は支持部８と称す。図示例では、ボタン７の一端側の縁を折り曲げて、折り曲げた先を支持部８が挟持すると共に、屈曲部分を、支持部８に突設した回転中心部５が支持する構成とする。ボタン７押下時は、他端側が一端側の支持部分、即ち回転中心部５を中心に回転し、復帰時は屈曲部分の弾性力により押下前の位置に復帰する。ボタン７の他端側には、基板３側のスイッチ４へと伸びる脚部６が形成されている。この脚部６の先端を球状にして、スイッチ４との接触面積を小さくする。
【００１４】
図４（ａ）に示すように、ボタン７は、パネル１の開口部２より露出した状態から基板３側へ押されると、回転中心部５を中心に脚部６が回転してスイッチ４を押す。このとき、基板３のパネル１に対する傾斜角度θが、脚部６の先端の回転軌跡Ｂの接線方向Ｃと、スイッチ４のストローク方向Ｄとができるだけ平行になるような角度であれば、脚部６のスイッチ４上でのすべりが抑制できる。従って、摩擦を抑制でき、ボタン７の操作感が向上する。
【００１５】
一方、図４（ｂ）に示すように、基板３をパネル１に平行に取り付けた場合、接線方向Ｃとストローク方向Ｄが平行にならないため、ボタン７押下時には脚部６がスイッチ４の表面を滑るように移動する。従って、図４（ａ）の場合に比べてボタン７の脚部６のすべり量が大きくなり、すべりの感覚がボタン７に伝わり、操作感の不良に繋がる。
【００１６】
図２または図３に示すように、複数のボタン７−１〜７−６が並んで配置されている場合に、各ボタン７−１〜７−６の脚部６−１〜６−６の長さをパネル１から基板３までの距離に合わせた長さに調整する。即ち、パネル１と基板３の距離が近い位置にあるボタン７−１の脚部６−１を最も短くし、ボタン７−２〜７−５の各脚部６−２〜６−５を順に長くし、パネル１と基板３の距離が遠い位置にあるボタン７−６の脚部６−６を最も長くする。図２に示すボタン７−１，７−６の拡大図を、図５に示す。このように、パネル１と基板３の距離に合わせて脚部６−１〜６−６の長さを調節して、各先端が各スイッチ４−１〜４−６に接した状態にする。
【００１７】
また、回転中心部５−１〜５−６は、各ボタン７−１〜７−６とも回転中心部５から脚部６の先端までの距離が同じになる位置に設ける。図５の拡大図に示すように、ボタン７−１の回転中心部５−１から脚部６−１の先端までの距離Ｅと、ボタン７−６の回転中心部５−６から脚部６−６の先端までの距離Ｅが同じになるように、回転中心部５−１，５−６の位置を決め、この位置が回転の中心となるように支持部８−１，８−６に支持させる。図５では図示を省略したが、ボタン７−２〜７−５についても同様に回転中心部５−２〜５−５の位置を決めて、支持部８−２〜８−８に支持させる。これにより、各ボタン７−１〜７−６の操作感の統一を図る。
【００１８】
また、図５の拡大図に示すように、ボタン７−１の回転中心部５−１を中心にして基板３側へ回転する側壁１１−１と、この側壁１１−１に向いたパネル１の開口部２の縁部１２−１を、ボタン７−１の回転中心部５−１を中心とした円弧面にする。これにより、ボタン７−１の押下時でもボタン７−１と開口部２−１のクリアランスＦが一定になり、押下時のボタン７−１とパネル１の擦れを防止できると共に、復帰不良等も抑制できる。ボタン７−２〜７−６についても同様に、側壁と縁部とをそれぞれ円弧面にする。
【００１９】
さらに、ボタン７の押下しすぎを防止するストッパ部１３を、脚部６の先端より突出した方向に設ける。図６は、押しボタン構造を拡大した斜視図である。図６に示すように、脚部６先端のスイッチ４に当接する部分をスイッチ押し部１４とし、このスイッチ押し部１４の両側を突出させてそれぞれストッパ部１３とする。ストッパ部１３は、スイッチ押し部１４がスイッチ４を押したときに当該スイッチ４をまたいで基板３に当接することにより、スイッチ４を破壊する荷重を抑制できる。また、スイッチ押し部１４とストッパ部１３とを並べて配置することで、ストッパ部１３の高さ方向の寸法管理が容易となり、スイッチ押し部１４がスイッチ４を押し込むより先にストッパ部１３が基板３に当接しないようにできる。
【００２０】
一方、従来は、同じく図６に示すようにパネル１の裏面の一部を突出させてストッパ部１５を設けたり、図３に示すスペーサ１０−１の一部を突出させてストッパ部１５を設けていた。このストッパ部１５はストッパ部１３のようにボタン７に直接設ける構成ではないため、ストッパ部１５自体の寸法のばらつきに加え、ボタン７、パネル１（またはスペーサ１０−１）、基板３の寸法および組付のばらつきの影響を受ける。よって、ボタン７の脚部６の先端がスイッチ４を押し込むより先にストッパ部１５がボタン７の一端縁に当接して、押下を阻止してしまう可能性がある。
【００２１】
以上より、実施の形態１によれば、押しボタン構造を、ボタン７を露出させる開口部２を設けたパネル１と、一端側はパネル１の回転中心部５に支持され、他端側はパネル１と直交する方向に伸びた脚部６を有し、パネル１の開口部２より露出した状態から押されると、他端側が回転中心部５を中心に回転するボタン７と、スイッチ４を実装し、脚部６の回転軌跡の接線方向Ｃと当該スイッチ４のストローク方向Ｄが略同じになるようにパネル１に対し傾けて取り付けた基板３とを備えるように構成した。このため、ボタン７の脚部６先端のスイッチ４上でのすべりを抑制できるようになり、操作感を改善した押しボタン構造を提供することができる。
【００２２】
また、実施の形態１によれば、複数のボタン７がある場合に、各ボタン７の脚部６の長さをパネル１と基板３の距離に合わせて、パネル１と基板３の距離が近い位置にあるボタン７の脚部６を短く、パネル１と基板３の距離が遠い位置にあるボタン７の脚部６を長くすると共に、回転中心部５を、回転中心部５から脚部６先端までの距離が各ボタン７で同じになる位置に設けるようにした。このため、複数のボタン７それぞれの操作感を統一することができる。
【００２３】
また、実施の形態１によれば、ボタン７の、脚部６を設けた側の側壁１１と、この側壁１１に面するパネル１の開口部２の縁部１２とを、ボタン７の回転中心部５を中心とした円弧面にすることにより、回転するボタン７がパネル１を擦ることがないので、操作感を改善できる。
【００２４】
また、実施の形態１によれば、ボタン７の脚部６は、この脚部６の先端より突出した形状であって、この脚部６の先端がスイッチ４を押したときに当該スイッチ４をまたいで基板３に当接する形状のストッパ部１３を有するように構成した。このため、脚部６先端のスイッチ押し部１４がスイッチ４を押下するより前にストッパ部１３がボタン７の回転を阻止することがないので、操作感を改善できる。
【００２５】
また、実施の形態１によれば、ボタン７の脚部６の先端を球状にすることにより、スイッチ４との接触面積が小さくなって押下時の摩擦感が抑制できるので、操作感を改善できる。
【産業上の利用可能性】
【００２６】
以上のように、この発明に係る押しボタン構造は、ボタン操作感を改善したので、車載機器等の電子機器筐体に設ける押しボタン構造などに用いるのに適している。
【図１】
2011161732.tif 000003
【図２】
2011161732.tif 000004
【図３】
2011161732.tif 000005
【図４】
2011161732.tif 000006
【図５】
2011161732.tif 000007
【図６】
2011161732.tif 000008
【手続補正書】
【提出日】平成24年7月23日(2012.7.23)
【手続補正１】
【補正対象書類名】明細書
【補正対象項目名】０００７
【補正方法】変更
【補正の内容】
【０００７】
この発明に係る押しボタン構造は、ボタンを露出させる開口部を設けたパネルと、一端側はパネルに支持され、他端側はパネルと直交する方向に伸びた脚部を有し、パネルの開口部より露出した状態から押されると、他端側が支持部分を中心に回転するボタンと、スイッチを実装し、脚部の回転軌跡上の、脚部と当該スイッチとの接触点における接線方向と当該スイッチのストローク方向が略同じになるようにパネルに対し傾けて取り付けた基板とを備えるものである。
【手続補正２】
【補正対象書類名】特許請求の範囲
【補正対象項目名】全文
【補正方法】変更
【補正の内容】
【特許請求の範囲】
【請求項１】
ボタンを露出させる開口部を設けたパネルと、
一端側は前記パネルに支持され、他端側は前記パネルと直交する方向に伸びた脚部を有し、前記パネルの開口部より露出した状態から押されると、前記他端側が前記支持部分を中心に回転するボタンと、
スイッチを実装し、前記脚部の回転軌跡上の、前記脚部と当該スイッチとの接触点における接線方向と当該スイッチのストローク方向が略同じになるように前記パネルに対し傾けて取り付けた基板とを備える押しボタン構造。
【請求項２】
複数のボタンがある場合に、当該各ボタンの脚部の長さをパネルと基板の距離に合わせて、前記パネルと前記基板の距離が近い位置にあるボタンの脚部を短く、前記パネルと前記基板の距離が遠い位置にあるボタンの脚部を長くすると共に、前記支持部分を、当該支持部分から前記脚部先端までの距離が前記各ボタンで同じになる位置に設けることを特徴とする請求項１記載の押しボタン構造。
【請求項３】
ボタンの、脚部を設けた側の側壁と、当該側壁に面するパネル開口部の縁部とは、前記ボタンの支持部分を中心とした円弧面であることを特徴とする請求項１記載の押しボタン構造。
【請求項４】
ボタンの脚部は、当該脚部先端より突出した形状であって、当該脚部先端がスイッチを押したときに当該スイッチをまたいで基板に当接する形状のストッパ部を有することを特徴とする請求項１記載の押しボタン構造。
【請求項５】
ボタンの脚部先端は球状であることを特徴とする請求項１記載の押しボタン構造。
【国際調査報告】
2011161732.tif 000009
2011161732.tif 000010
2011161732.tif 000011
2011161732.tif 000012